(57)【要約】  携帯用電子機器（１）は、筐体（２）に設けられた開口部（３）の表面を蓋体（４）で覆う防水構造を有する。携帯用電子機器（１）は、筐体（２）及び蓋体（４）の何れか一方に形成された取付部（５）を備える。取付部（５）の外周面には、開口部（３）の周囲を取り囲む枠状パッキン（Ｏリング）（６）が取り付けられる。取付部（５）は、辺部（７）と角部（８）とを有して開口部（３）の周囲を取り囲む形状である。携帯用電子機器（１）は、取付部（５）の外周面上に形成された溝部（９）を備える。溝部（９）には枠状パッキン（６）が、筐体（２）及び蓋体（４）の他方に枠状パッキン（６）の表面を圧接可能に収容される。溝部（９）の角部（８）における形状は、辺部（７）における形状と異なっている。
2013018231.tif 000002
【特許請求の範囲】
【請求項１】
携帯用電子機器の筐体に設けられた開口部の表面を蓋体で覆う防水構造を有する携帯用電子機器であって、
前記開口部の周囲を取り囲む枠状パッキンを外周面に取り付ける、前記筐体及び前記蓋体の何れか一方に形成された取付部と、
前記筐体及び前記蓋体の他方に前記枠状パッキンの表面を圧接可能に前記枠状パッキンを収容する、前記取付部の外周面上に形成された溝部と、
を備え、
前記取付部は、辺部と角部とを有して前記開口部の周囲を取り囲む形状であり、
前記溝部は、前記角部における形状を前記辺部における形状と異ならせる、
ことを特徴とする携帯用電子機器。
【請求項２】
前記溝部は前記角部において傾斜面を有することを特徴とする請求項１に記載の携帯用電子機器。
【請求項３】
前記溝部は前記角部における収容領域と前記辺部における収容領域とが略同一となる断面積を有することを特徴とする請求項１に記載の携帯用電子機器。
【請求項４】
前記溝部は前記角部における収容領域と前記辺部における収容領域とが略同一となる断面積を有することを特徴とする請求項２に記載の携帯用電子機器。
【請求項５】
前記溝部は前記辺部終端から前記角部にかけて段階的に形状を異ならせることを特徴とする請求項１乃至４のいずれか一に記載の携帯用電子機器。
【発明の詳細な説明】
【技術分野】
【０００１】
この発明は、携帯用電子機器に関する。
【背景技術】
【０００２】
従来、電子機器などの防水構造において、Ｏリングが圧入される矩形枠状の凹溝の角部での断面積を、Ｏリングが圧入される際の変形に合わせて、他の部分、すなわち辺部よりも狭くなるようにした構造がある（例えば、特許文献１参照）。また、液状のパッキン材が注入される溝の角部の溝幅を辺部よりも広げて容量を増加させるようにした防水構造がある（例えば、特許文献２参照）。
【先行技術文献】
【特許文献】
【０００３】
【特許文献１】特開２００１−９１９９６号公報
【特許文献２】特開平７−３９０４３号公報
【発明の概要】
【発明が解決しようとする課題】
【０００４】
しかしながら、従来のＯリングを用いた防水構造では、凹溝の断面積が辺部よりも狭い角部においてＯリングが硬くなり、Ｏリングの弾力性が失われてしまうため、Ｏリングの角部で防水性が劣るという問題点がある。【０００５】
Ｏリングの角部での防水性能を改善することができる携帯用電子機器を提供することを目的とする。
【課題を解決するための手段】
【０００６】
携帯用電子機器は、筐体に設けられた開口部の表面を蓋体で覆う防水構造を有する。携帯用電子機器は、筐体及び蓋体の何れか一方に形成された取付部を備える。取付部の外周面には、開口部の周囲を取り囲む枠状パッキン（Ｏリング）が取り付けられる。取付部は、辺部と角部とを有して開口部の周囲を取り囲む形状である。携帯用電子機器は、取付部の外周面上に形成された溝部を備える。溝部には枠状パッキンが、筐体及び蓋体の他方に枠状パッキンの表面を圧接可能に収容される。溝部の角部における形状は、辺部における形状と異なっている。
【発明の効果】
【０００７】
この携帯用電子機器によれば、枠状パッキンの角部での防水性能を改善することができる。
【図面の簡単な説明】
【０００８】
【図１】図１は、実施例にかかる携帯用電子機器を示す分解斜視図である。
【図２】図２は、実施例にかかる携帯用電子機器の取付部及び溝部を示す側面図及び断面図である。
【図３】図３は、実施例にかかる携帯用電子機器の取付部及び枠状パッキンを示す側面図及び断面図である。
【図４】図４は、実施例にかかる携帯用電子機器の防水構造を示す側面断面図である。
【図５】図５は、実施例にかかる携帯用電子機器の取付部の辺部における防水構造を示す断面図である。
【図６】図６は、実施例にかかる携帯用電子機器の取付部の角部における防水構造を示す断面図である。
【図７】図７は、実施例にかかる携帯用電子機器の溝部の寸法の一例を説明する図である。
【図８】図８は、溝部の角部の形状が辺部の形状と同じ場合の角部における枠状パッキンを示す断面図である。
【図９】図９は、溝部の角部の形状が辺部の形状と同じ場合の角部における防水構造を示す断面図である。
【発明を実施するための形態】
【０００９】
以下に、この発明にかかる携帯用電子機器の実施例を図面に基づいて詳細に説明する。なお、この実施例によりこの発明が限定されるものではない。
【００１０】
（実施例１）
図１は、実施例にかかる携帯用電子機器を示す分解斜視図である。図１に示すように、携帯用電子機器１は、筐体２に設けられた開口部３の表面を蓋体４で覆う防水構造を有している。筐体２及び蓋体４の何れか一方には、取付部５が形成されている。ここでは、取付部５が蓋体４に形成されているものとして説明する。
【００１１】
取付部５の外周面には、開口部３の周囲を取り囲む枠状パッキン（Ｏリング）６が取り付けられている。取付部５は、辺部７と角部８とを有している。取付部５は、開口部３の周囲を取り囲む形状をしている。
【００１２】
図２は、実施例にかかる携帯用電子機器の取付部及び溝部を示す側面図及び断面図である。図２において、符号１１で示す右側の図は、取付部５の角部８を含む側面図であり、符号１２で示す左側の図は、取付部５の辺部７の切断線ＩＩ−ＩＩにおける断面図である。図２に示すように、取付部５の外周面上には、溝部９が形成されている。溝部９の角部８における形状は、辺部７における形状と異なっている。
【００１３】
図３は、実施例にかかる携帯用電子機器の取付部及び枠状パッキンを示す側面図及び断面図である。図３において、符号１４で示す右側の図は、取付部５の角部８を含む側面図であり、符号１５で示す左側の図は、取付部５の辺部７の切断線ＩＩＩ−ＩＩＩにおける断面図である。図３に示すように、溝部９には枠状パッキン６が、筐体２に枠状パッキン６の表面を圧接可能に収容されている。取付部５が筐体２に形成されている場合には、枠状パッキン６は、溝部９に、蓋体４に枠状パッキン６の表面を圧接可能に収容される。
【００１４】
図４は、実施例にかかる携帯用電子機器の防水構造を示す側面断面図である。図４に示すように、角部８において溝部９から突出した枠状パッキン６の表面部分が、筐体２の内周面に接する。辺部７においても同様であり、溝部９から突出した枠状パッキン６の表面部分が筐体２の内周面に接する。
【００１５】
図５は、実施例にかかる携帯用電子機器の取付部の辺部における防水構造を示す断面図である。図６は、実施例にかかる携帯用電子機器の取付部の角部における防水構造を示す断面図である。図５及び図６において、一点鎖線は、筐体２の内周面に接する前の枠状パッキン６の形状を示す。
【００１６】
図５に示すように、辺部７においては、枠状パッキン６は、十分な潰し量ｄで潰れた状態で筐体２の内周面に接する。辺部７における溝部９の底の幅をａとする。ａの値は、図５に示すように、十分な潰し量ｄで枠状パッキン６が潰れた状態で筐体２の開口部３の内周面に接したときに、潰れた枠状パッキン６によって溝部９が丁度塞がれる程度であってもよい。
【００１７】
図６に示すように、角部８において、溝部９の底の幅をｂとし、溝部９の開口端の幅をｃとする。ａとｂとｃとの間には、特に限定しないが、例えば［ｂ＜ａ＜ｃ］の関係が成り立っていてもよい。また、溝部９の深さは、辺部７と角部８とで同じであってもよいし、角部８の方が浅くなっていてもよい。図６に示すように、枠状パッキン６は、十分な潰し量ｅで潰れた状態で筐体２の開口部３の内周面に接する。
【００１８】
実施例１によれば、溝部９の角部８における形状が辺部７における形状と異なっており、溝部９の角部８において枠状パッキン６が硬くならずに筐体２の開口部３の内周面に接するので、枠状パッキン６の角部での防水性能を改善することができる。
【００１９】
（実施例２）
実施例２は、例えば携帯電話機に実施例１で説明した防水構造を適用したものである。なお、実施例１で説明した防水構造は、携帯電話機に限らず、携帯型のゲーム機や携帯型の電子辞書など、種々の携帯用電子機器に適用可能である。図１及び図４に示すように、例えば筐体２の開口部３には、電池１０が収容されてもよい。
【００２０】
図２に示すように、溝部９の底の幅は、辺部７においてａであり、角部８においてｂ（ｂ＜ａ）であり、辺部７から角部８にかけて段階的に狭くなっていてもよい。ここで、「段階的に」には、「徐々に」も含まれていてもよい。図２では、二点鎖線２１と二点鎖線２２とで挟まれる部分がおよそ溝部９の底である。なお、厳密には、溝部９の底面と、底面から起ち上がる壁面とが滑らかな曲面で繋がっていてもよく、その場合には溝部９の底面と壁面との境は明確ではない。二点鎖線２１，２２は、溝部９の底の幅が徐々に狭くなっていることを明示するために、便宜上引かれたものである。
【００２１】
ここで、角部８における溝部９の底の幅ｂは、辺部７における枠状パッキン６の線径と同じ幅に設定されていてもよい。それによって、角部８において枠状パッキン６が辺部７での伸びよりも伸びて扁平化してしまうのを抑制することができる。
【００２２】
また、図２の左側の断面図１２及び図５に示すように、辺部７では、溝部９の壁面は、底面に対して垂直であってもよい。すなわち、辺部７では、溝部９の壁面が傾斜していなくてもよい。図２の右側の側面図１１及び図６に示すように、角部８では、溝部９の壁面は、底面から開口端へ向かって広がるような傾斜面を有している。図２では、二点鎖線２３の外側と二点鎖線２４の外側の部分が傾斜面である。溝部９の開口端の幅ｃと辺部７における溝部９の底の幅ａ及び角部８における溝部９の底の幅ｂとの間には、上述したように、例えば［ｂ＜ａ＜ｃ］の関係が成り立っていてもよい。
【００２３】
また、溝部９の、枠状パッキン６を収容する領域の断面積が、辺部７と角部８とで略同一であってもよい。そうすれば、辺部７と角部８とで、溝部９に対する枠状パッキン６の充填率が略同じになるので、角部８において辺部７と同程度の防水性能が得られる。
【００２４】
図７は、実施例にかかる携帯用電子機器の溝部の寸法の一例を説明する図である。図７には、取付部５に枠状パッキン６が取り付けられた状態の角部８付近の拡大図が示されている。なお、図７では、取付部５に溝部９がないものとしている。図７に示すように、枠状パッキン６は、角部８において辺部７におけるよりも多くの伸びが生じる。それによって、辺部７から角部８に向かうに連れて枠状パッキン６の断面積が変化してしまう。本発明者らが調べたところ、角部８の中央から３ｍｍ程度の範囲において枠状パッキン６の断面積が変化することが判明した。なお、枠状パッキン６の断面積が変化する範囲は、枠状パッキン６の線径に依存している。
【００２５】
そこで、例えば枠状パッキン６の、取付部５に取り付ける前の線径がφ０．７ｍｍ〜φ１．５ｍｍである場合、辺部７から角部８にかけて溝部９の形状を変化させる範囲の、角部８の中央からの距離ｆを２ｍｍ以上５ｍｍ以下とするのが好ましい。すなわち、角部８の中央から５ｍｍ離れた所から角部８の中央に向かって段階的に溝部９の形状を変化させてもよい。また、最小でも角部８の中央から２ｍｍ離れた所から角部８の中央に向かって段階的に溝部９の形状を変化させるのがよい。また、角部８の中央から３ｍｍ離れた所から角部８の中央に向かって段階的に溝部９の形状を変化させてもよい。
【００２６】
図８は、溝部の角部の形状が辺部の形状と同じ場合の角部における枠状パッキンを示す断面図である。図９は、溝部の角部の形状が辺部の形状と同じ場合の角部における防水構造を示す断面図である。溝部の角部の形状を辺部の形状と同じにした場合、図８に示すように、角部においては、辺部におけるよりも枠状パッキン３１が伸びて取付部３２の溝部３３の中で扁平化してしまう。そのため、図９に示すように、角部においては筐体の開口部の内周面に枠状パッキン３１の表面が接しないか、接しても十分な潰れ量で接する状態とならない。従って、角部において十分な防水性能が得られない。
【００２７】
本発明者らが検討した結果、溝部の角部の形状を辺部の形状と同じにした場合でも、角部の曲率（半径）を例えば枠状パッキンの線径の２倍程度にすると、角部における枠状パッキンの扁平化を抑え、角部において防水性能が得られることがわかった。従って、角部の曲率（半径）を枠状パッキンの線径の２倍程度に設定してもよい。この場合には、筐体２の開口部３の四隅の曲率（半径）も例えば枠状パッキンの線径の２倍程度になるため、例えば電池１０に対して筐体２の開口部３が大きくなり、それに伴って蓋体４の取付部５が大きくなってしまう。
【００２８】
本発明者らがさらに検討した結果、実施例２のように辺部７から角部８にかけて溝部９の形状を段階的に変化させることによって、角部の曲率（半径）を例えば０．５ｍｍにしても、角部において十分な防水性能が得られることがわかった。従って、角部の曲率（半径）を０．５ｍｍ程度に設定してもよい。この場合には、筐体２の開口部３の四隅の曲率（半径）が０．５ｍｍ程度になり、筐体２の開口部３及び蓋体４の取付部５の大きさを例えば電池１０と同じ程度にすることができるので、携帯用電子機器１を小型化することができる。
【００２９】
実施例２によれば、実施例１と同様の効果が得られる。また、溝部９の角部８において枠状パッキン６が硬くならずに済むので、枠状パッキン６が押しつけられる筐体２に過度な反力がかかるのを防ぐことができる。従って、筐体２の肉厚を増して筐体２を堅牢に作製しなくてもよいので、携帯用電子機器１の小型軽量化を図ることができる。
【符号の説明】
【００３０】
１  携帯用電子機器
２  筐体
３  開口部
４  蓋体
５  取付部
６  枠状パッキン
７  辺部
８  角部
９  溝部
【図１】
2013018231.tif 000003
【図２】
2013018231.tif 000004
【図３】
2013018231.tif 000005
【図４】
2013018231.tif 000006
【図５】
2013018231.tif 000007
【図６】
2013018231.tif 000008
【図７】
2013018231.tif 000009
【図８】
2013018231.tif 000010
【図９】
2013018231.tif 000011
【国際調査報告】
2013018231.tif 000012
2013018231.tif 000013
2013018231.tif 000014
2013018231.tif 000015